(57)【要約】【課題】暖房時、暖房開始から応答良く車室内温度が上昇し、短時間にて乗員が暖房感を得ることができると共に、高い暖房感を継続して得ることができる車両用暖房装置を提供すること。【解決手段】車室空間を形成する車室内面に輻射放熱器を設定し、輻射放熱器を設定した面からの輻射熱で暖房する車両用暖房装置において、輻射放熱器を、基材に敷設した断熱材２１と、断熱材２１に埋め込み状態で載置された蛇行状態の暖房管２０と、を有し、フロアカーペット２５を熱放射面とする輻射放熱構造９とし、輻射放熱構造９を、後席側床面を構成するフロアカーペット２５から３方向に連続するリアシート下側縦壁部２５ａとドア側縦壁部２５ｂとセンタートンネル側縦壁部２５ｃに設定した。【選択図】図３
2008254665.tif 000002
【特許請求の範囲】
【請求項１】
車室空間を形成する車室内面に輻射放熱器を設定し、輻射放熱器を設定した面からの輻射熱で暖房する車両用暖房装置において、
前記輻射放熱器を、車室空間を形成する車室内面のうち、床面を除く縦面の位置に設定したことを特徴とする車両用暖房装置。
【請求項２】
請求項１に記載された車両用暖房装置において、
前記輻射放熱器は、車両の後席空間を形成する内面のうち、後席側床面と後席側天井面と後席側上部縦面を除く後席側下部縦面の位置に設定したことを特徴とする車両用暖房装置。
【請求項３】
請求項１または請求項２に記載された車両用暖房装置において、
前記輻射放熱器は、電磁弁を介して供給されるエンジン冷却水を加熱媒体とすることを特徴とする車両用暖房装置。
【請求項４】
請求項１乃至請求項３の何れか１項に記載された車両用暖房装置において、
前記輻射放熱器は、後席側床面を構成するフロアカーペットから連続する床面側縦壁部に設定したことを特徴とする車両用暖房装置。
【請求項５】
請求項４に記載された車両用暖房装置において、
前記輻射放熱器は、後席側床面を構成するフロアカーペットから３方向に連続するリアシート下側縦壁部とドア側縦壁部とセンタートンネル側縦壁部に設定したことを特徴とする車両用暖房装置。
【請求項６】
請求項１乃至請求項５の何れか１項に記載された車両用暖房装置において、
前記輻射放熱器は、基材に敷設した断熱材と、断熱材に埋め込み状態で載置された蛇行状態の暖房管と、を有し、フロアカーペットを熱放射面とする輻射放熱機構であることを特徴とする車両用暖房装置。
【請求項７】
請求項１乃至請求項５の何れか１項に記載された車両用暖房装置において、
前記輻射放熱器は、前席シートのうち後席側に向いているシート背面の下部位置に設定したことを特徴とする車両用暖房装置。
【請求項８】
請求項１乃至請求項５の何れか１項に記載された車両用暖房装置において、
前記輻射放熱器は、後席ドアのドアサイドトリム位置に設定したことを特徴とする車両用暖房装置。
【請求項９】
請求項１乃至請求項５の何れか１項に記載された車両用暖房装置において、
前記輻射放熱器は、後席シートのセンターアームレストの側面位置に設定したことを特徴とする車両用暖房装置。
【請求項１０】
請求項１乃至請求項９の何れか１項に記載された車両用暖房装置において、
前記輻射放熱器は、断熱材と蛇行暖房管とパネル板を有し、表面に放熱用凹凸を有するパネル板を熱放射面とする暖房パネルであることを特徴とする車両用暖房装置。
【請求項１１】
請求項１乃至請求項１０の何れか１項に記載された車両用暖房装置において、
前席側のフロント暖房と共に、後席側へはリアダクトを介して温風を吹き出すリア暖房を行う空調ユニットを搭載し、
前記輻射放熱器は、前記空調ユニットに内蔵されたヒータコアからのエンジン冷却水を加熱媒体とし、
前記空調ユニットによるリア暖房時、前記輻射放熱器による輻射熱暖房を併せて行う後席暖房協調制御手段を設けたことを特徴とする車両用暖房装置。
【発明の詳細な説明】
【技術分野】
【０００１】
本発明は、車室空間を形成する車室内面に輻射放熱器を設定し、輻射放熱器を設定した面からの輻射熱で暖房する車両用暖房装置に関する。
【背景技術】
【０００２】
従来、自動車用床暖房装置としては、自動車のエンジン冷却水の配管におけるエンジンからラジエータへの還流配管を、熱交換器の一次側に接続し、当該熱交換器の二次側配管を、ポンプを介して、車室の床面にジグザグに配置された暖房管に接続したものが知られている（例えば、特許文献１参照）。
【０００３】
この床暖房装置では、車室の床面を加熱し、そこから周りへ放射することによって伝わる輻射熱（別名：放射熱）によって床面からの暖房を行う。
【特許文献１】実開平５−５４０１８号公報
【発明の開示】
【発明が解決しようとする課題】
【０００４】
しかしながら、従来の自動車用床暖房装置にあっては、これを実車に採用する場合、暖房管が車室の床面（フロアパネル）にジグザグに配置されているため、乗員の足踏みフィーリングを損なわないように、暖房管の上にフロアカーペットを敷き、さらに、その上に取り外しが可能なサービスマットを敷くというのが一般的である。
【０００５】
したがって、この実車採用の構成では、暖房管から車室内への輻射熱伝達経路の途中にフロアカーペットとサービスマットが存在するため、まず、フロアカーペットによる熱抵抗を受け、さらに、サービスマットによる熱抵抗を受けるというように、二重の熱抵抗影響を受けることになり、乗員が暖房感を得難くなる、あるいは、乗員が暖房感を得るまでに時間を要する、という問題があった。
【０００６】
本発明は、上記問題に着目してなされたもので、暖房時、暖房開始から応答良く車室内温度が上昇し、短時間にて乗員が暖房感を得ることができると共に、高い暖房感を継続して得ることができる車両用暖房装置を提供することを目的とする。
【課題を解決するための手段】
【０００７】
上記目的を達成するため、本発明では、車室空間を形成する車室内面に輻射放熱器を設定し、輻射放熱器を設定した面からの輻射熱で暖房する車両用暖房装置において、
前記輻射放熱器を、車室空間を形成する車室内面のうち、床面を除く縦面の位置に設定したことを特徴とする。
【発明の効果】
【０００８】
よって、本発明の車両用暖房装置にあっては、輻射放熱器が、車室空間を形成する車室内面のうち、床面を除く縦面の位置に設定される。言い換えると、熱抵抗の高いサービスマットによる影響の無い位置に輻射放熱器が設定される。
例えば、輻射放熱器を、床面を構成するフロアパネルから連続する床面側縦壁部に設定した場合、フロアカーペットによる熱抵抗を受けるだけで、サービスマットによる熱抵抗を受けないことになる。しかも、フロアカーペットとサービスマットの熱抵抗を比べた場合、良好なクッション性を得るために厚みを持たせたサービスマットの方が、厚みが薄く硬めの不織布によるフロアカーペットより遙かに熱抵抗が高い。このため、車室空間に放射される輻射熱量を比べると、フロアカーペットのみの場合には、従来技術のフロアカーペットとサービスマットによる場合の輻射熱量に比べ、輻射熱量が大幅に高くなる。
この結果、暖房時、暖房開始から応答良く車室内温度が上昇し、短時間にて乗員が暖房感を得ることができると共に、高い暖房感を継続して得ることができる。
【発明を実施するための最良の形態】
【０００９】
以下、本発明の車両用暖房装置を実現する最良の形態を、図面に示す実施例１〜実施例４に基づいて説明する。
【実施例１】
【００１０】
まず、構成を説明する。
図１は実施例１の車両用暖房装置が適用された自動車Ａを示す概略平面図である。図２は実施例１の車両用暖房装置が適用された自動車Ａを示す概略側面図である。図３は実施例１の車両用暖房装置が適用された後席側床面を示す展開平面図である。図４は実施例１の車両用暖房装置を示す図３のＡ−Ａ線断面図である。図５は実施例１の車両用暖房装置を示す図３のＢ−Ｂ線断面図である。
【００１１】
実施例１の車両用暖房装置は、図１及び図２に示すように、エンジン１と、空調ユニット２と、ヒータコア３と、エンジン冷却水送出管４と、エンジン冷却水返送管５と、温水入口配管６と、温水出口配管７と、電磁弁８と、輻射放熱機構９（輻射放熱器）と、空調コントローラ１０（後席暖房協調制御手段）と、リアダクト１１と、を備えている。
【００１２】
実施例１の車両用暖房装置が適用された自動車Ａは、前席側のフロント暖冷房と共に、後席側へはリアダクト１１を介して温風を吹き出すリア暖冷房を行う空調ユニット２を搭載している。このリアダクト１１は、センターダクトから左右に分岐し、左右の後席の乗員足元位置にそれぞれ温風を吹き出すリア温風吹出し口１１ａ，１１ａ（図３参照）を先端に有する。
【００１３】
前記エンジン１と前記ヒータコア３は、エンジン冷却水送出管４とエンジン冷却水返送管５により接続されている。前記輻射放熱機構９は、前記空調ユニット２に内蔵されたヒータコア３から電磁弁８を介して供給されるエンジン冷却水を加熱媒体としている。
つまり、前記エンジン冷却水送出管４から分岐して温水入口配管６が接続され、この温水入口配管６の途中位置に電磁弁８が設定される。また、前記エンジン冷却水返送管５から分岐して温水出口配管７が接続される。そして、車両後方に延びた温水入口配管６と温水出口配管７の端部に継ぎ手１２，１３を介して輻射放熱機構９が接続される。
【００１４】
前記空調コントローラ１０は、後席暖房スイッチ１４を入操作しての空調ユニット２によるリア暖房時、前記電磁弁８を開とする駆動指令を出力し、輻射放熱機構９による輻射熱暖房を併せて行う後席暖房協調制御を行う。
【００１５】
実施例１では、輻射放熱器として、フロアカーペット２５を熱放射面とする輻射放熱機構９を用い、この輻射放熱機構９を、自動車Ａの後席空間を形成する内面のうち、後席側床面と後席側天井面と後席側上部縦面を除く後席側下部縦面の位置に設定している。
以下、実施例１の輻射放熱機構９及びその周辺構造を、図３〜図５により説明する。
【００１６】
実施例１の輻射放熱機構９及びその周辺構造は、図３〜図５に示すように、暖房管２０と、断熱材２１と、フロアパネル２２と、サイドメンバ２３と、ＰＥＴシート２４と、フロアカーペット２５と、サービスマット２６と、仕切り材２７と、車体ハーネス２８と、リアシート２９と、を備えている。
【００１７】
後席側の車体構造は、図４に示すように、フロアパネル２２が車両前後方向に延びる両側のサイドメンバ２３，２３に固定され、フロアパネル２２の上面に、図４及び図５に示すように、ＰＥＴシート２４（ＰＥＴとはポリエチレンテレフタートであり、一般的にポリエステルと呼ばれる）が全体的に敷設される。そして、ＰＥＴシート２４の両側位置には、図４に示すように、仕切り材２７が車両前後方向に配置され、この仕切り材２７とサイドメンバ２３とで形成される空間に、車体ハーネス２８が配線される。また、ＰＥＴシート２４の上面から左右のサイドメンバ２３，２３に亘る後席足元領域には、薄い不織布により構成されたフロアカーペット２５が全体的に敷設され、フロアカーペット２５の上面により後席側床面が構成される。このフロアカーペット２５の足置き平面位置には、図３〜図５に示すように、サービスマット２６が敷設される。このサービスマット２６は、例えば、図３に示すように、左右後席の乗員の足元位置にそれぞれ１枚と左右後席の乗員の中央部位置に１枚の合計３枚敷設される。
【００１８】
前記輻射放熱機構９は、図４及び図５に示すように、基材に敷設した断熱材２１と、断熱材２１に埋め込み状態で載置された蛇行状態の暖房管２０と、を有し、フロアカーペット２５を熱放射面とする構造である。なお、図４の場合、ＰＥＴシート２４と仕切り材２７を、断熱材２１を敷設する基材とする。図５の場合、ＰＥＴシート２４とフロアパネル２２を、断熱材２１を敷設する基材とする。
【００１９】
前記輻射放熱機構９は、後席側床面を構成するフロアカーペット２５から連続する床面側縦壁部２５ａ，２５ｂ，２５ｃに設定される。具体的には、図３に示すように、後席側床面を構成するフロアカーペット２５から３方向に連続するリアシート下側縦壁部２５ａとドア側縦壁部２５ｂとセンタートンネル側縦壁部２５ｃに設定される。
【００２０】
前記暖房管２０の蛇行状態を説明すると、図３に示すように、右後席側では、温水入口配管６に継ぎ手１２を介して接続された暖房管２０をドア側縦壁部２５ｂで１往復蛇行させ、次いで、リアシート下側縦壁部２５ａで１往復半蛇行させ、次いで、センタートンネル側縦壁部２５ｃで１往復蛇行させることで構成される。左後席側では、連結継ぎ手３０を介して接続された暖房管２０を、センタートンネル側縦壁部２５ｃで１往復蛇行させ、次いで、リアシート下側縦壁部２５ａで１往復半蛇行させ、次いで、ドア側縦壁部２５ｂで１往復蛇行させることで構成される。そして、暖房管２０の終端は、継ぎ手１３を介して温水出口配管７に接続される。
【００２１】
次に、作用を説明する。
実施例１の車両用暖房装置は、輻射放熱機構９を、車室空間を形成する車室内面のうち、床面を除く縦面の位置に設定したものである。言い換えると、熱抵抗の高いサービスマット２６による影響の無い位置に輻射放熱機構９を設定したものである。
そこで、サービスマット２６による影響の有無による後席空間に放射される輻射熱量Ｑの差異について以下説明する。
【００２２】
図６はフロアパネルの床面位置に設定した床暖パネルの上にフロアカーペットとサービスマットを載置して行った輻射熱量実験図である。図７はフロアパネルの縦壁部位置に設定した床暖パネルの上にフロアカーペットを載置して行った輻射熱量実験図である。
【００２３】
まず、輻射熱量Ｑは、
Ｑ＝｛１／(ｔ/λ)｝×Ａ×ΔＴ
ｔ；カーペット厚、λ；熱抵抗、Ａ；放熱面積、ΔＴ；表裏温度差
の式にてあらわされる。つまり、輻射熱量Ｑは、熱抵抗λを一定とした場合、放熱面積Ａと表裏温度差ΔＴに比例し、カーペット厚ｔに反比例する。
【００２４】
したがって、図６に示すように、従来の自動車用床暖房装置と同様に、床暖パネルの上にフロアカーペットとサービスマットを載置する構成を採用した場合には、カーペット厚ｔが26.5mmと非常に大きな値となるため、輻射熱量Ｑは小さい値となる。
これに対し、図７に示すように、実施例１の車両用暖房装置と同様に、床暖パネルの上にフロアカーペットのみを載置する構成を採用した場合には、カーペット厚ｔが6.0mmと小さな値となるため、輻射熱量Ｑは大きな値となる。
上記輻射熱量Ｑの式を用いた場合、実施例１での輻射熱量Ｑは、従来に比べ、概算で4.4倍（26.5÷6＝4.4）となる。
ちなみに、実車評価による熱移動量の実験結果は、図６に示す実験の場合、床暖パネルに約700Ｗの流入熱量を入力したところ、車室内に放出する熱量は、約33.3Ｗと減少した。しかも、700Ｗから33.3Ｗに到達するのに、約90分を要した。これに対し、図７に示す実験の場合、床暖パネルに約700Ｗの流入熱量を入力したところ、車室内に放出する熱量は、約150Ｗとなり、上記概算値と同等の結果が得られた。そして、700Ｗから150Ｗに到達するのに要する時間は、約20分程度と大幅に短縮された。
以下、「後席足元暖房作用」と「後席暖房協調制御作用」について説明する。
【００２５】
［後席足元暖房作用］
実施例１の場合、輻射放熱機構９を、後席側床面を構成するフロアカーペット２５から連続する床面側縦壁部２５ａ，２５ｂ，２５ｃに設定している。この場合、輻射放熱機構９の放射熱面であるフロアカーペット２５による熱抵抗を受けるだけで、サービスマット２６による熱抵抗を受けないことになる。しかも、フロアカーペット２５とサービスマット２６の熱抵抗を比べた場合、良好なクッション性を得るために厚みを持たせたサービスマット２６の方が、厚みが薄く硬めの不織布によるフロアカーペット２５より遙かに熱抵抗が高い。このため、車室空間に放射される輻射熱量Ｑを比べると、上記実験結果から明らかなように、実施例１のフロアカーペット２５のみの場合には、従来技術のフロアカーペットとサービスマットによる場合の輻射熱量Ｑに比べ、輻射熱量Ｑが大幅に高くなる。
【００２６】
そして、実施例１では、輻射放熱機構９が、後席側床面を構成するフロアカーペット２５から３方向に連続するリアシート下側縦壁部２５ａとドア側縦壁部２５ｂとセンタートンネル側縦壁部２５ｃに設定される。このため、図３の右後席輻射熱イメージに示すように、後席暖房時、暖房開始から応答良く後席乗員の足元Ｆを左右及び後ろから効果的に暖めることはできると共に、高い足元暖房感を継続して得ることができる。
【００２７】
［後席暖房協調制御作用］
実施例１のように、前席側のフロント暖房と共に、後席側へはリアダクト１１を介して温風を吹き出すリア暖房を行う空調ユニット２を搭載した自動車Ａが知られている。
【００２８】
しかし、自動車Ａの前方側に搭載した１つの空調ユニット２により、フロント暖房とリア暖房を共に行う場合、例えば、フットモードの選択時、運転席や助手席の足元に対して設定温度による温風を送るように吹出し温度が設定される。このため、空調ユニット２にて作り出した温風を、リアダクト１１を介して後席側に導くと、後席までの配風途中における熱損失により、リア温風吹出し口１１ａ，１１ａから吹き出される温風は、フロント温風吹出し口から吹き出される温風より温度が低くなる。すなわち、リア暖房をフロント暖房と同等の適切なリア暖房とするためには、空調ユニット２によるリア暖房を補完する必要がある。
【００２９】
これに対し、実施例１では、後席暖房スイッチ１４を入操作しての空調ユニット２によるリア暖房時、空調コントローラ１０において、電磁弁８を開とする駆動指令が出力され、輻射放熱機構９による輻射熱暖房を併せて行う後席暖房協調制御が行われる。
【００３０】
したがって、図３に示すように、リア暖房時、リア温風吹出し口１１ａからの温風により、後席乗員の足元Ｆを前方から暖めるのに加え、図３の右後席輻射熱イメージに示すように、輻射放熱機構９による輻射熱暖房により、後席乗員の足元Ｆを左右及び後ろから暖める。つまり、実施例１の輻射放熱機構９による輻射熱暖房が、空調ユニット２によるリア暖房を補完する暖房システムになり、例えば、寒冷地や冬季等の走行において、後席乗員に対し高い足元暖房感を与えることができる。
【００３１】
次に、効果を説明する。
実施例１の車両用暖房装置にあっては、下記に列挙する効果を得ることができる。
【００３２】
(1) 車室空間を形成する車室内面に輻射放熱器を設定し、輻射放熱器を設定した面からの輻射熱で暖房する車両用暖房装置において、前記輻射放熱器を、車室空間を形成する車室内面のうち、床面を除く縦面の位置に設定したため、暖房時、暖房開始から応答良く車室内温度が上昇し、短時間にて乗員が暖房感を得ることができると共に、高い暖房感を継続して得ることができる。
【００３３】
(2) 前記輻射放熱器は、車両の後席空間を形成する内面のうち、後席側床面と後席側天井面と後席側上部縦面を除く後席側下部縦面の位置に設定したため、輻射放熱器を設定した後席側下部縦面からの輻射熱により、後席乗員の足元や下半身を効果的に暖房することができる。
【００３４】
(3) 前記輻射放熱器は、電磁弁８を介して供給されるエンジン冷却水を加熱媒体とするため、新たな熱源を搭載する必要が無く、低コストで、燃費性能等を低下させることなく、輻射熱暖房を行うことができる。
【００３５】
(4) 前記輻射放熱器は、後席側床面を構成するフロアカーペット２５から連続する床面側縦壁部２５ａ，２５ｂ，２５ｃに設定したため、床面暖房と同様に、後席乗員の足元を輻射熱により暖めることができる。
【００３６】
(5) 前記輻射放熱器は、後席側床面を構成するフロアカーペット２５から３方向に連続するリアシート下側縦壁部２５ａとドア側縦壁部２５ｂとセンタートンネル側縦壁部２５ｃに設定したため、後席乗員の足元を左右と後ろの３方向からの輻射熱により効果的に暖めることができる。
【００３７】
(6) 前席側のフロント暖房と共に、後席側へはリアダクト１１を介して温風を吹き出すリア暖房を行う空調ユニット２を搭載し、前記輻射放熱器は、前記空調ユニット２に内蔵されたヒータコア３からのエンジン冷却水を加熱媒体とし、前記空調ユニット２によるリア暖房時、前記輻射放熱器による輻射熱暖房を併せて行う空調コントローラ１０を設けたため、空調ユニット２によるリア暖房時、輻射放熱器による輻射熱暖房が、空調ユニット２によるリア暖房を補完するシステムになり、後席乗員に対し高い足元暖房感を与えることができる。
【００３８】
(7) 前記輻射放熱器は、基材に敷設した断熱材２１と、断熱材２１に埋め込み状態で載置された蛇行状態の暖房管２０と、を有し、フロアカーペット２５を熱放射面とする輻射放熱構造９であるため、フロアカーペット２５を熱放射面として利用し、部品点数の少ない簡単な構成にて、輻射熱暖房を達成することができる。
【実施例２】
【００３９】
実施例２は、輻射放熱器のシートバック搭載例である。
【００４０】
まず、構成を説明する。
図８は実施例２の車両用暖房装置における輻射放熱器のシートバック搭載例を示す側面図である。
実施例２では、輻射放熱器として、断熱材と蛇行暖房管とパネル板を有し、表面に放熱用凹凸を有するパネル板を熱放射面とする暖房パネル９’を用いている。
ここで、暖房パネル９’の具体的構成は、図６及び図７に示す床暖パネルと同様の構成である。
【００４１】
そして、２つの暖房パネル９'-1，９'-2を、それぞれの前席シート３１のうち後席側に向いているシート背面の下部位置に設定している。
ここで、２つの暖房パネル９'-1，９'-2のうち、上側暖房パネル９'-1は、図８に示すように、前席シート３１のシートバックの背面下部位置に、熱放射面を後席乗員の膝から脛に向けて傾斜配置している。また、下側暖房パネル９'-2は、図８に示すように、前席シート３１のシートクッションの背面位置に、熱放射面を後席乗員の足元に向けて傾斜配置している。
なお、他の構成は、実施例１と同様であるため、図示並びに説明を省略する。
【００４２】
次に、作用を説明すると、後席の輻射暖房時、上側暖房パネル９'-1により、車両前方側から後席乗員の膝から脛に亘る領域を暖めることができるし、下側暖房パネル９'-2により、車両前方側から後席乗員の足元を暖めることができる。
なお、他の作用は、実施例１と同様であるので説明を省略する。
【００４３】
次に、効果を説明する。
実施例２の車両用暖房装置にあっては、実施例１の(1)〜(6)の効果に加え、下記に列挙する効果を得ることができる。
【００４４】
(8) 前記輻射放熱器は、前席シート３１のうち後席側に向いているシート背面の下部位置に設定したため、後席の輻射暖房時、後席乗員の下半身のうち、膝から足元にかけての領域を車両前方側からの放射熱により暖めることができる。
【００４５】
(9) 前記輻射放熱器は、断熱材と蛇行暖房管とパネル板を有し、表面に放熱用凹凸を有するパネル板を熱放射面とする暖房パネル９’であるため、既存の車両に対しても、暖房パネル９’を追加設定するだけで、後席の下空間を輻射暖房することができる。
【実施例３】
【００４６】
実施例３は、輻射放熱器のドアサイドトリム搭載例である。
【００４７】
まず、構成を説明する。
図９は実施例３の車両用暖房装置における輻射放熱器のドアサイドトリム搭載例を示す側面図である。
実施例３では、輻射放熱器として、断熱材と蛇行暖房管とパネル板を有し、表面に放熱用凹凸を有するパネル板を熱放射面とする暖房パネル９’を用い、暖房パネル９’を、後席ドア３２のドアサイドトリム位置に埋め込み設定している。
ここで、暖房パネル９’として、２つの暖房パネル９'-3，９'-4を用い、図９に示すように、上側暖房パネル９'-3は、後席ドア３２のドアサイドトリムの上部位置に、熱放射面を後席空間の下側に向けて配置している。下側暖房パネル９'-4は、図９に示すように、後席ドア３２のドアサイドトリムの下部から上部にかけた位置に、熱放射面を後席乗員の足元から下半身に向けて配置している。
なお、他の構成は、実施例１と同様であるため、図示並びに説明を省略する。
【００４８】
次に、作用を説明すると、後席の輻射暖房時、上側暖房パネル９'-3により、車両ドア側から後席空間の下側領域を暖めることができるし、下側暖房パネル９'-4により、車両ドア側から後席乗員の足元から下半身を暖めることができる。
なお、他の作用は、実施例１と同様であるので説明を省略する。
【００４９】
次に、効果を説明する。
実施例３の車両用暖房装置にあっては、実施例１の(1)〜(6)と、実施例２の(9)の効果に加え、下記の効果を得ることができる。
【００５０】
(10) 前記輻射放熱器は、後席ドア３２のドアサイドトリム位置に設定したため、後席の輻射暖房時、後席空間の下側領域と後席乗員の足元から下半身にかけての領域を車両ドア側からの放射熱により暖めることができる。
【実施例４】
【００５１】
実施例４は、輻射放熱器のセンターアームレスト搭載例である。
【００５２】
まず、構成を説明する。
図１０は実施例４の車両用暖房装置における輻射放熱器のセンターアームレスト搭載例を示す斜視図である。
実施例４では、輻射放熱器として、断熱材と蛇行暖房管とパネル板を有し、表面に放熱用凹凸を有するパネル板を熱放射面とする暖房パネル９’を用い、暖房パネル９’を、後席のセンターアームレスト３３の側面位置に埋め込み設定している。
ここで、暖房パネル９’は、後席シート２９のセンターアームレスト３３の側面位置に、図１０に示すように、乗員の下半身に向けて配置している。
なお、他の構成は、実施例１と同様であるため、図示並びに説明を省略する。
【００５３】
次に、作用を説明すると、後席の輻射暖房時、暖房パネル９’により、センターアームレスト３３の側面側から後席乗員の下半身を暖めることができる。
なお、他の作用は、実施例１と同様であるので説明を省略する。
【００５４】
次に、効果を説明する。
実施例４の車両用暖房装置にあっては、実施例１の(1)〜(6)と、実施例２の(9)の効果に加え、下記の効果を得ることができる。
【００５５】
(11) 前記輻射放熱器は、後席シート２９のセンターアームレスト３３の側面位置に設定したため、後席の輻射暖房時、後席乗員の下半身をセンターアームレスト３３の側面側から暖めることができる。
【００５６】
以上、本発明の車両用暖房装置を実施例１〜実施例４に基づき説明してきたが、具体的な構成については、これらの実施例に限られるものではなく、特許請求の範囲の各請求項に係る発明の要旨を逸脱しない限り、設計の変更や追加等は許容される。
【００５７】
実施例１では、輻射放熱器を床面から連続する３方向の床面側縦壁部に設定する例を示し、実施例２では、輻射放熱器を前席シートの背面位置に設定した例を示し、実施例３では、輻射放熱器をドアサイドトリム位置に設定した例を示し、実施例４では、輻射放熱器をセンターアームレストの側面位置に設定した例を示した。しかし、輻射放熱器は、前席側の縦面の位置に設定しても良いし、バス等の大型車の場合は、各席の縦面の位置に設定しても良い。要するに、輻射放熱器は、車室空間を形成する車室内面のうち、床面を除く縦面の位置に設定したものであれば、実施例１〜４の設定位置には限られることはない。
【００５８】
実施例１〜４では、輻射放熱器は、電磁弁を介して供給されるエンジン冷却水を加熱媒体とする例を示したが、電気的に加熱するパネルヒータを輻射放熱器とするものであっても本発明に含まれる。
【産業上の利用可能性】
【００５９】
実施例１〜４では、前席と後席を持つエンジン自動車への適用例を示したが、ハイブリッド車や電気自動車へも適用できるし、さらに、トラックやバス等の大型車両や鉄道車両の客車等へも適用することができる。要するに、車室空間を形成する車室内面に輻射放熱器を設定し、輻射放熱器を設定した面からの輻射熱で暖房する車両用暖房装置であれば適用できる。
【図面の簡単な説明】
【００６０】
【図１】実施例１の車両用暖房装置が適用された自動車Ａを示す概略平面図である。
【図２】実施例１の車両用暖房装置が適用された自動車Ａを示す概略側面図である。
【図３】実施例１の車両用暖房装置が適用された後席側床面を示す展開平面図である。
【図４】実施例１の車両用暖房装置を示す図３のＡ−Ａ線断面図である。
【図５】実施例１の車両用暖房装置を示す図３のＢ−Ｂ線断面図である。
【図６】フロアパネルの床面位置に設定した床暖パネルの上にフロアカーペットとサービスマットを載置して行った輻射熱量実験図である。
【図７】フロアパネルの縦壁部位置に設定した床暖パネルの上にフロアカーペットを載置して行った輻射熱量実験図である。
【図８】実施例２の車両用暖房装置における輻射放熱器のシートバック搭載例を示す側面図である。
【図９】実施例３の車両用暖房装置における輻射放熱器のドアサイドトリム搭載例を示す側面図である。
【図１０】実施例４の車両用暖房装置における輻射放熱器のセンターアームレスト搭載例を示す斜視図である。
【符号の説明】
【００６１】
Ａ  自動車
１  エンジン
２  空調ユニット
３  ヒータコア
４  エンジン冷却水送出管
５  エンジン冷却水返送管
６  温水入口配管
７  温水出口配管
８  電磁弁
９  輻射放熱機構（輻射放熱器）
９’  暖房パネル（輻射放熱器）
１０  空調コントローラ（後席暖房協調制御手段）
１１  リアダクト
１１ａ，１１ｂ  リア温風吹出し口
１２，１３  継ぎ手
１４  後席暖房スイッチ
２０  暖房管
２１  断熱材
２２  フロアパネル
２３  サイドメンバ
２４  ＰＥＴシート
２５  フロアカーペット
２６  サービスマット
２７  仕切り材
２８  車体ハーネス
２９  リアシート
３０  連結継ぎ手
３１  前席シート
３２  後席ドア
３３  センターアームレスト
【図１】
2008254665.tif 000003
【図２】
2008254665.tif 000004
【図３】
2008254665.tif 000005
【図４】
2008254665.tif 000006
【図５】
2008254665.tif 000007
【図６】
2008254665.tif 000008
【図７】
2008254665.tif 000009
【図８】
2008254665.tif 000010
【図９】
2008254665.tif 000011
【図１０】
2008254665.tif 000012